(57)【要約】【課題】消化される医薬品の最小単位で請求額を算出し、発生した差額を自動的に解消することができる医薬品の消化払い方式及び消化払い処理装置を提供する。【解決手段】医療機関又は調剤薬局に補充された医薬品の消化払い方式であって、医療機関又は調剤薬局３０，４０で消化された医薬品の消化データが通信手段２を通して医薬品卸業務管理用コンピュータ３１に入力され、サーバー用コンピュータ１は、消化データに、箱等の包装単位の錠剤又は散剤、液薬、顆粒、カプセル、クリーム等のその他薬剤に対して該錠剤は所定錠単位の単価又は該その他薬剤は所定グラム又はｃｃ単位の単価を乗算して算出した値を請求額とするようにした医薬品の消化払い方式である。【選択図】    図２
2004280761.tif 000002
【特許請求の範囲】
【請求項１】
医療機関又は調剤薬局に補充された医薬品の消化払い方式において、該医療機関又は調剤薬局で消化された医薬品の消化データが通信手段を通して医薬品卸業務管理用コンピュータに入力され、該卸業務管理用コンピュータは、前記消化データによる消化量に基づいて、箱等の包装単位の錠剤又は散剤、液薬、顆粒、カプセル、クリーム等のその他薬剤に対して、該錠剤は所定錠単位の単価又はその他薬剤は所定グラム・ｃｃ単位の単価で算出した値を請求額とすることを特徴とする医薬品の消化払い方式。
【請求項２】
前記医療機関又は調剤薬局に補充された医薬品の包装単位の販売金額を算出し、該医薬品の消化量に前記所定錠単位の単価又は所定グラム・ｃｃ単位の単価に基づいて算出された請求額を集計し、請求済金額を算出し、前記販売額から該請求済金額の差額と、前記医薬品の前記コンピュータ上の理論在庫に基づく在庫金額とを差し引いて差額調整金額を算出することを特徴とする請求項１に記載の医薬品の消化払い方式。
【請求項３】
前記医療機関又は調剤薬局で消化された医薬品の請求額を算出する際に、該請求額から消化払い方式の開始時点の初期在庫量に基づく在庫金額を差し引いて得られた値を請求額とすることを特徴とする請求項１に記載の医薬品の消化払い方式。
【請求項４】
消化払い開始時点で前記卸業務管理用コンピュータに入力された初期在庫量に差異があった場合、棚卸による実在庫量の値を前記卸業務管理用コンピュータに入力し、前記初期在庫量に基づく該コンピュータ上の誤理論在庫量と前記実在庫量との差分を算出し、該実在庫量より該誤理論在庫が多い場合は該差分を請求額とし、該実在庫量より該誤理論在庫が少ない場合は差分の金額を請求額から差し引いた値を請求額とすることを特徴とする請求項１に記載の医薬品の消化払い方式。
【請求項５】
医療機関又は調剤薬局で消化された医薬品の消化データが該医療機関又は調剤薬局の端末機から通信手段を通して入力される医薬品卸業務管理用コンピュータと、該消化データを記憶する消化データ記憶装置と、前記医療機関又は調剤薬局の在庫を記録する在庫データ記憶装置とを備え、
前記卸業務管理用コンピュータは、箱等の包装単位の単価に、錠剤又は散剤、液薬、顆粒、カプセル、クリーム等のその他薬剤に対して、該錠剤は所定錠単位で除し、又は該その他薬剤は所定グラム・ｃｃ単位で除して単価を算出する単価算出手段と、
前記消化データに基づく消化量に、所定錠単位の単価又は所定グラム・ｃｃ単位の単価を乗じて請求額を算出する請求額算出手段とを備えることを特徴とする医薬品の消化払い処理装置。
【請求項６】
請求項５に記載の医薬品の消化払い処理装置において、
前記卸業務管理用コンピュータが、前記包装単位の医薬品の販売金額を算出する販売金額算出手段と、
医薬品の消化量に、前記所定錠単位の単価又は所定グラム・ｃｃ単位の単価を乗じて得た請求済金額を集計する請求済金額算出手段と、
前記販売金額から前記請求済金額と前記在庫データ記憶装置に記憶された理論在庫に基づく在庫金額とを差し引いて差額調整金額を算出する差額調整金額算出手段と、
を備えることを特徴とする医薬品の消化払い処理装置。
【請求項７】
請求項５に記載の医薬品の消化払い処理装置において、
前記消化された医薬品の請求額を算出する際に、消化払い方式の開始時点の初期在庫量に基づく在庫金額を、該請求額から差し引いて消化払い対象品のみの請求額を算出する請求額算出手段を備えたことを特徴とする医薬品の消化払い処理装置。
【請求項８】
請求項５に記載の医薬品の消化払い処理装置において、
消化払い開始時点の初期在庫量に差異があった場合、棚卸による実在庫量の値を前記卸業務管理用コンピュータに入力して記憶する実在庫量記憶手段と、
前記在庫データ記憶装置に記憶された該初期在庫量の差異によるコンピュータ上の誤理論在庫量と、前記実在庫量記憶手段からの実在庫量との差分を算出する差分算出手段と、
前記差分算出手段による演算結果において、前記実在庫量より前記誤理論在庫が多い場合はその差分を請求額として算出する第１の補正請求額算出手段と、
前記差分算出手段による演算結果において、前記実在庫量より前記誤理論在庫が少ない場合は前記請求額から差額を差し引いて真の請求額を算出する第２の補正請求額算出手段とを有することを特徴とする医薬品の消化払い処理装置。
【発明の詳細な説明】
【０００１】
【発明の属する技術分野】
本発明は、医療機関又は調剤薬局で消化された医薬品を自動的に請求額を算出する医薬品の消化払い方式及び消化払い処理装置に関するものである。
【０００２】
【従来の技術】
先に、本出願人は、従来の医薬品の営業形態を改善すべく、ＩＴ（Ｉｎｆｏｒｍａｔｉｏｎ  Ｔｅｃｈｎｏｌｏｇｙ）を駆使した医薬品卸業務形態を薬品卸業務管理システムとして提案した。このシステムは、非常に種類が多い医薬品の在庫管理を容易なものとすることができる。すなわち、従来、医療機関及び調剤薬局が行っている在庫管理で許容される一部の業務を医薬品卸業者が支援するシステムであって、卸業者が医療機関又は調剤薬局で消化された医薬品の払い出し情報を得て、欠品が発生しないように医薬品を補充し、かつ消化医薬品量を算出して請求額を決定する、所謂、医薬品の消化払い方式のビジネスモデルを提案したものである（特許文献１参照）。
【０００３】
【特許文献１】
特開２００２−１４９８１９号（明細書全文、図面全図）
【０００４】
【発明が解決しようとする課題】
従来の薬品卸業務管理システムは、基本的な課題として卸企業の営業コストの低減と医療機関及び調剤薬局の在庫管理の軽減を計ることを目的でシステムを構築したものであった。しかしながら、医薬品の補充は箱単位で行われるが、医療機関又は調剤薬局では、錠剤単位等で投薬がなされるので、消化払い方式では、錠剤単位或いはグラム単位で消化される医薬品に対して、請求書を発行することになり、その際、錠剤やグラム単位の単価による端数で請求額の差額が生じる等の問題があった。また、錠剤やグラム単位の消化払い方式では、導入前の在庫の取り扱い等に問題があった。
【０００５】
本発明は、上述のような課題に鑑みなされたものであり、消化される医薬品の最小単位で請求額を算出し、発生した差額を自動的に解消することができる医薬品の消化払い方式及び消化払い処理装置を提供することを目的とするものである。
【０００６】
【課題を解決するための手段】
本発明は、上記課題を達成したものであり、請求項１の発明は、医療機関又は調剤薬局に補充された医薬品の消化払い方式において、該医療機関又は調剤薬局で消化された医薬品の消化データが通信手段を通して医薬品卸業務管理用コンピュータに入力され、該卸業務管理用コンピュータは、前記消化データによる消化量に基づいて、箱等の包装単位の錠剤又は、散剤、液薬、顆粒、カプセル、クリーム等のその他薬剤に対して、該錠剤は所定錠単位の単価又は該その他薬剤は所定グラム・ｃｃ単位の単価で算出した値を請求額とすることを特徴とする医薬品の消化払い方式である。
【０００７】
請求項１の発明では、調剤薬局等で消化される医薬品が箱等の包装単位で消化されるのではなく、錠剤単位又は、その他薬剤にあってはグラム・ｃｃ単位で消化されるので、消化データに基づく消化量に、所定錠単位の単価或いは薬剤は所定グラム・ｃｃ単位の単価を乗じて請求額を算出し、卸業務管理用コンピュータの出力装置から請求額が出力するようにしたものであり、極めて多数の医薬品の一品毎の請求額を容易に算出することができる作用を有する。なお、所定錠単位とは、例えば１錠単位であり、所定グラム・ｃｃ単位とは、所定グラム単位が例えば１グラム単位であり、所定ｃｃ単位が例えば１ｃｃ単位である。
【０００８】
また、請求項２の発明は、前記医療機関又は調剤薬局に補充された医薬品の包装単位の販売金額を算出し、該医薬品の消化量に前記所定錠単位の単価又は所定グラム・ｃｃ単位の単価に基づいて算出された請求額を集計し、請求済金額を算出し、前記販売額から該請求済金額の差額と、前記医薬品の前記コンピュータ上の理論在庫に基づく在庫金額とを差し引いて差額調整金額を算出することを特徴とする請求項１に記載の医薬品の消化払い方式である。
【０００９】
請求項２の発明では、医療機関又は調剤薬局に補充された医薬品の包装単位の販売金額を算出し、医薬品の消化量に所定錠単位の単価又は所定グラム・ｃｃ単位の単価を乗じて得られた請求額を集計して請求済金額を算出し、前記販売金額から該請求済金額を差し引いて得られる値から理論在庫に基づく在庫金額を差し引いて差額調整金額を算出するようにしており、包装単位の単価に基づく販売金額に対して、医薬品の所定錠単位の単価又は所定グラム・ｃｃ単位の単価で算出した請求額が四捨五入等によって、発生する差額を自動的に補正することができる作用がある。
【００１０】
また、請求項３の発明は、前記医療機関又は調剤薬局で消化された医薬品の請求額を算出する際に、該請求額から消化払い方式の開始時点の初期在庫量に基づく在庫金額を差し引いて得られた値を請求額とすることを特徴とする請求項１に記載の医薬品の消化払い方式である。
【００１１】
請求項３の発明では、消化された医薬品の請求額を算出する際に、消化払い方式の開始時点の初期在庫量に基づく在庫金額を、請求額から差し引くことによって、支払い済みの初期在庫量に対して、二重に請求するのを解消することができる作用を有する。在庫金額とは、例えば、消化払い方式の開始時点の在庫量に所定錠・所定グラム・ｃｃ単位の単価を乗じた金額である。
【００１２】
また、請求項４の発明は、消化払い開始時点で前記卸業務管理用コンピュータに入力された初期在庫量に差異があった場合、棚卸による実在庫量の値を前記卸業務管理用コンピュータに入力し、前記初期在庫量に基づく該コンピュータ上の誤理論在庫量と前記実在庫量との差分を算出し、該実在庫量より該誤理論在庫が多い場合は該差分を請求額とし、該実在庫量より該誤理論在庫が少ない場合は差分の金額を請求額から差し引いた値を請求額とすることを特徴とする請求項１に記載の医薬品の消化払い方式である。
【００１３】
請求項４の発明では、消化払い開始時点の初期在庫量に差異があった場合であっても、棚卸による実在庫量の値を前記卸業務管理用コンピュータに入力して、コンピュータ上の誤理論在庫量と実在庫量との差分を算出して、実在庫量より誤理論在庫が多い場合は該差分を請求額として算出して請求することができるし、また、実在庫量より誤理論在庫が少ない場合は請求額から差額を差し引いて真の請求額を算出することができる作用を有する。なお、誤理論在庫量とは、コンピュータ上の理論在庫量に誤りがある場合の在庫量を示している。
【００１４】
また、請求項５の発明は、医療機関又は調剤薬局で消化された医薬品の消化データが該医療機関又は調剤薬局の端末機から通信手段を通して入力される医薬品卸業務管理用コンピュータと、該消化データを記憶する消化データ記憶装置と、前記医療機関又は調剤薬局の在庫を記録する在庫データ記憶装置とを備え、
前記卸業務管理用コンピュータは、箱等の包装単位の単価に、錠剤又は散剤、液薬、顆粒、カプセル、クリーム等のその他薬剤に対して、該錠剤は所定錠単位で除し、又は該その他薬剤は所定グラム・ｃｃ単位で除して単価を算出する単価算出手段と、
前記消化データに基づく消化量に、所定錠単位の単価又は所定グラム・ｃｃ単位の単価を乗じて請求額を算出する請求額算出手段とを備えることを特徴とする医薬品の消化払い処理装置である。
【００１５】
請求項５の発明では、医療機関又は調剤薬局で消化された医薬品の消化データが医療機関又は調剤薬局の端末機から通信手段を通して医薬品卸業務管理用コンピュータに入力され、卸業務管理用コンピュータは、消化データを記憶する消化データ記憶装置と、医療機関又は調剤薬局の在庫を記録する在庫データ記憶装置とを備えており、消化データに基づいて、箱等の包装単位の錠剤又はその他薬剤に対して、錠剤は所定錠単位の単価又は該その他薬剤は所定グラム単位の単価を算出する単価算出手段と、前記消化データに所定錠単位の単価又は所定グラム単位の単価を乗じて請求額を算出する請求額演算手段とを備えた医薬品の消化払い処理装置であり、この請求額算出手段によって、医薬品１品毎の請求額を自動的に算出することができる作用を有する。なお、所定錠単位とは例えば１錠単位であり、所定グラム・ｃｃ単位とは１グラム単位又は１ｃｃ単位である。
【００１６】
また、請求項６の発明は、請求項５に記載の医薬品の消化払い処理装置において、前記卸業務管理用コンピュータが、前記包装単位の医薬品の販売金額を算出する販売金額算出手段と、
医薬品の消化量に、前記所定錠単位の単価又は所定グラム・ｃｃ単位の単価を乗じて得た請求済金額を集計する請求済金額算出手段と、
前記販売金額から前記請求済金額と前記在庫データ記憶装置に記憶された理論在庫に基づく在庫金額とを差し引いて差額調整金額を算出する差額調整金額算出手段と、を備えることを特徴とする医薬品の消化払い処理装置である。
【００１７】
請求項６の発明では、卸業務管理用コンピュータが、前記包装単位の販売金額を算出する販売金額算出手段と、医薬品の消化量に、前記所定錠単位の単価又は所定グラム単位の単価を乗じて得られた請求額を集計して請求済金額を算出する請求済金額算出手段と、前記販売金額から前記請求済金額と理論在庫に基づく在庫金額とを差し引いて差額調整金額を算出する差額調整金額算出手段とを備えており、包装単位の販売金額を販売金額算出手段で算出して、この販売金額を基準として、消化払いによる請求金額を集計した請求済金額と理論在庫に基づく在庫金額とを差し引いて、差額調整金額を算出しており、所定錠・所定グラム又はｃｃ単位の単価による差額を、差額調整金額として調整することができる作用を有する。また、差額調整金額は負の値になる場合があり、正の値になるまで請求額は発生しない。
【００１８】
また、請求項７の発明は、請求項５に記載の医薬品の消化払い処理装置において、前記消化された医薬品の請求額を算出する際に、消化払い方式の開始時点の初期在庫量に基づく在庫金額を、該請求額から差し引いて消化払い対象品のみの請求額を算出する請求額算出手段を備えたことを特徴とする医薬品の消化払い処理装置である。
【００１９】
請求項７の発明では、消化された医薬品の請求額を算出する際に、消化払い方式の開始時点の初期在庫量に基づく在庫金額を、該請求額から差し引いて、消化払い対象品のみ真の請求額を算出する請求額算出手段を備えており、従来の販売形態から消化払い方式に切り換えたとしても、卸業務管理用コンピュータは、自動的に初期在庫量に基づく在庫金額を二重に請求しないように、演算処理して、真の請求額を算出することができる作用を有する。
【００２０】
また、請求項８の発明は、請求項５に記載の医薬品の消化払い処理装置において、消化払い開始時点の初期在庫量に差異があった場合、棚卸による実在庫量の値を前記卸業務管理用コンピュータに入力して記憶する実在庫量記憶手段と、
前記在庫データ記憶装置に記憶された該初期在庫量の差異によるコンピュータ上の誤理論在庫量と、前記実在庫量記憶手段からの実在庫量との差分を算出する差分算出手段と、
前記差分算出手段による演算結果において、前記実在庫量より前記誤理論在庫が多い場合はその差分を請求額として算出する第１の補正請求額算出手段と、
前記差分算出手段による演算結果において、前記実在庫量より前記誤理論在庫が少ない場合は前記請求額から差額を差し引いて真の請求額を算出する第２の補正請求額算出手段とを有することを特徴とする医薬品の消化払い処理装置である。
【００２１】
請求項８の発明では、消化払い開始時点の初期在庫量に差異があった場合、棚卸による実在庫量の値を前記卸業務管理用コンピュータに入力して実在庫量記憶手段に記憶し、該初期在庫量に差異によるコンピュータ上の誤理論在庫量と、該実在庫量記憶手段からの実在庫量とを差分算出手段により差分を算出し、前記差分算出手段による演算結果において、前記実在庫量より前記誤理論在庫が多い場合は第１の補正請求額算出手段により請求額を算出し、また、前記差分算出手段による演算結果において、前記実在庫量より前記誤理論在庫が少ない場合は、第２の補正請求額算出手段により前記請求額から差額を差し引いた真の請求額を算出するようにした消化払い処理装置であり、初期在庫量に誤りがあったとしても、棚卸による実在庫量をコンピュータに入力することによって、自動的に修正して真の請求額を算出することができる作用を有する。
【００２２】
【発明の実施の形態】
以下、本発明に係る医薬品の消化払い方式及び消化払い処理装置の実施の形態について、図面を参照して説明する。なお、図１は、本発明の実施形態を説明するためのシステムを示すブロック図、図２は、本実施形態の医薬品の消化払い方式及びその消化払い処理装置の一実施形態を示すブロック図である。
【００２３】
（実施形態１）
本実施形態は、図１に示したように、医薬品卸企業の卸業務コンピュータシステム１０に含まれ、卸業務コンピュータシステム１０は、インターネット２０を通して調剤薬局のコンピュータシステム３０及び／又は医療機関のコンピュータシステム４０と接続されている。調剤薬局或いは医療機関（以下、調剤薬局として説明する）で消化された医薬品の消化データは、インターネット２０を通して卸業務コンピュータシステム１０に逐次入力され、卸業者は医薬品の消化データに基づいて、調剤薬局に医薬品を自動的に補充し、消化された医薬品に対して請求書が発行される。
【００２４】
卸業務コンピュータシステム１０は、図２に示したように、サーバ用コンピュータ１が、調剤薬局の消化データ記憶装置２と、調剤薬局の在庫データ記憶装置３等と接続してＬＡＮを構成している。サーバ用コンピュータ１には、演算手段として、箱等の包装単位の錠剤又は散剤、液薬、顆粒、カプセル、クリーム等のその他薬剤に対して、錠剤は１錠単位の単価又はその他薬剤は１グラム・１ｃｃ単位の単価を算出する単価算出手段１ａと、消化された医薬品の請求額を算出する請求額算出手段１ｂと、包装単位の販売額を算出する販売金額算出手段１ｃと、四捨五入等による差額を補正するための差額調整金額算出手段１ｅと、消化払いされた医薬品の請求済み金額を算出する請求済金額算出手段１ｄと、初期在庫の間違いを補正するための差分算出手段１ｆと第１の補正請求額算出手段１ｇと第２の補正請求額算出手段１ｈとを備え、かつ各医薬品の包装単位の単価、錠剤の単価、及びグラム又はｃｃ単位の単価を記憶する単価記憶手段４ａと、一次的の棚卸による在庫量を記憶する実在庫量記憶手段４ｂとを備えている。
【００２５】
本実施形態は、医療機関又は調剤薬局で消化された医薬品の消化データがコンピュータ３１からインターネット（通信手段）２０を通して医薬品卸業のサーバー用コンピュータ１に入力される。各医療機関又は調剤薬局で消化した医薬品毎の消化データは、消化データ記憶装置２に記憶され、現在の各調剤薬局の在庫データが在庫データ記憶装置３に記憶されている。サーバー用コンピュータ１は、消化データに基づいて、箱等の包装単位の錠剤又は散剤、液薬、顆粒、カプセル、クリーム等のその他薬剤に対して、錠剤は１錠単位の単価で、その他薬剤は１グラム又はｃｃ単位の単価で算出した値を請求額として出力し、消化された医薬品の一品毎の請求額が出力される。また、サーバー用コンピュータ１には、単価記憶手段４ａや実在庫量記憶手段４ｂが設けられ、単価記憶手段４ａには、包装単位の単価、一錠単価及び１グラム又はｃｃ単位の単価が記憶され、実在庫量記憶手段４ｂには、消化払い開始時点の初期在庫量に差異があった場合、棚卸による実在庫量の値を記憶される。
【００２６】
続いて、卸業務コンピュータシステム１０により制御演算機能である各算出手段について説明する。先ず、単価算出手段１ａでは、各医薬品の包装単位の錠剤の販売額を１箱当たりの錠剤数で除して得られる１錠単位の単価を算出する。また、包装単位の薬剤の販売額を１瓶当たりの薬剤のグラム数で除して１グラム単位の単価を算出する手段である。各医薬品の包装単位の単価、及び１錠の単価、及び１グラム又はｃｃ単位の単価は単価記憶手段４ａに記憶される。なお、液薬等では、１瓶当たりの単価に１ｃｃ単位で除して、１ｃｃ単位当たりの単価を算出する。
【００２７】
請求額算出手段１ｂは、１錠単位の単価又は１グラム単位の単価を単価記憶手段４ａから読み出して、一品毎の医薬品の消化量に対して、１錠の単価、又は１グラム又は１ｃｃ単位の単価を乗じて請求額を算出する手段である。
【００２８】
販売金額算出手段１ｃは、調剤薬局に補充された医薬品、すなわち販売された医薬品の包装単位の医薬品数量に、包装単位の単価を乗じて販売金額を算出する手段である。
【００２９】
請求済金額算出手段１ｄは、調剤薬局で消化された医薬品の一品毎の消化量に、１錠単位の単価、１グラム単位又は１ｃｃ単位の単価を乗じて請求済金額を算出する手段である。
【００３０】
差額調整金額算出手段１ｅは、販売金額算出手段１ｃで算出された販売金額から請求済金額と、在庫データ記憶装置３に記憶されている理論在庫に基づく在庫金額とを差し引いて差額調整金額を算出する手段である。差額調整金額は、下記算出式で求められる。
【００３１】
【数１】
2004280761.tif 000003
【００３２】
差分算出手段１ｆは、初期在庫量が相違していた場合、在庫データ記憶装置３に記憶されているコンピュータ上の理論在庫に誤りがあり、これを誤理論在庫量と称することとし、この誤理論在庫量と、実在庫量記憶手段４ｂに記憶されている棚卸による実在庫量との差分を算出する手段である。誤理論在庫量とは、初期在庫量が相違していたり、誤入力等によって発生したコンピュータ上の理論在庫を示している。また、実在庫量は、初期在庫量が相違していることが明確となった時点で行われた棚卸による在庫量である。無論、定期的な棚卸により初期在庫量の相違が明確となる場合がある。因みに、この演算式は、下記の演算式で算出される。
【００３３】
【数２】
2004280761.tif 000004
【００３４】
第１の補正請求額算出手段１ｇは、差分算出手段１ｆによる演算結果において、実在庫量より誤理論在庫が多い場合は、請求額算出手段１ｂで算出された請求額に差分請求額を加算する手段である。
【００３５】
第２の補正請求額算出手段１ｈは、差分算出手段１ｆによる演算結果において、実在庫量より誤理論在庫が少ない場合は、請求額算出手段１ｂで算出された請求額から差分請求額を差し引いて真の請求額を算出する手段である。すなわち、この手段での差分が消化されるまでは、請求額は発生しないことになる。
【００３６】
次に、本実施形態の医薬品の消化払い方式の実施形態２〜５について、図１，図２を参照して説明する。
【００３７】
（実施形態２）
本実施形態は、調剤薬局等で消化された医薬品の消化データがインターネット２０を通して医薬品卸業のサーバー用コンピュータ１に入力され、消化データは消化データ記憶装置２に記憶される。請求額の算出は、サーバー用コンピュータ１の上記で説明した制御演算手段により算出される。箱等の包装単位の錠剤又は散剤、液薬、顆粒、カプセル、クリーム等のその他薬剤に対して、錠剤は１錠単位の単価、その他薬剤は１グラム単位の単価又は１ｃｃ単位の単価が単価記憶手段４ａから読み出され、請求額算出手段１ｂにより、消化データに基づく消化量に、１錠又は１グラム・１ｃｃ単位の単価を乗じて請求額を算出する。なお、消化データは、各医薬品の１錠又は１グラム・１ｃｃ単位で消化されたデータであり、このデータは、パケット状のデータであって、調剤薬局のＩＤ、薬品識別コード、薬品名、消化日付、１錠又は１グラム・１ｃｃ単位の消化量のデータ等が含まれており、請求額算出手段１ｂでは、消化量に基づいて請求額が算出される。
【００３８】
（実施形態３）
本実施形態は、上記実施形態２の消化払い方式における１錠又は１グラム・１ｃｃ単位の単価に含まれる四捨五入等による請求額の差額を補正する消化払い方式である。本実施形態は、医療機関又は調剤薬局で消化された１錠又は１グラム・１ｃｃ単位の錠剤又は散剤、液薬、顆粒、カプセル、クリーム等のその他薬剤の請求額に、単価に四捨五入等による誤差が含まれる場合があり、この誤差を補正する消化払い方式であり、医療機関又は調剤薬局に補充された医薬品の包装単位による販売額を基準とし、請求額の差額を補正する消化払い方式である。医療機関又は調剤薬局に補充された医薬品の販売額は、医薬品の補充量に、包装単位の単価を乗じた値である。この販売額を基準にして、上記で説明した差額調整金額算出手段１ｅにより差額調整金額を算出する。差額調整金額算出手段１ｅでは、医療機関又は調剤薬局で消化された医薬品の内、既知の請求額である請求済請求額を集計して求め、在庫データ記憶装置３に記憶されている理論在庫量に１錠又は１グラム・１ｃｃ単位の単価を乗じて得られる在庫金額を算出する。この販売額から請求済請求額と在庫金額とを差し引いて差額調整金額を算出する。在庫金額と差額調整金額とが未請求金額に相当する。
【００３９】
（実施形態４）
本実施形態は、上記実施形態２の消化払い方式を開始する際に、医療機関又は調剤薬局に初期在庫が存在する場合、この初期在庫は消化払い対象外であるので、消化データとして、医薬品卸業のサーバー用コンピュータ１に入力されたとししても初期在庫は、消化払い対象外として請求額を算出しなようにしたものである。医療機関又は調剤薬局で消化された消化データは、消化データ記憶装置２に記憶される。本実施形態では、請求額算出手段１ｂによって、消化された一品毎の医薬品の１錠単位の単価又は１グラム・１ｃｃ単位の単価を、単価記憶手段４ａから読み出し、医薬品の消化量から初期在庫量を差し引いた数量に１錠又は１グラム・１ｃｃ単位の単価を乗じて真の請求額を算出する。すなわち、請求額＜初期在庫金額の関係が成り立つ間は、調剤薬局に対する請求額は発生しない。請求額＞初期在庫金額の関係が成り立って始めて、調剤薬局に対する請求額が発生する。
【００４０】
（実施形態５）
本実施形態は、上記実施形態２の消化払い方式を開始した後、消化データ記憶装置２に記録されている初期在庫量に差異があった場合、棚卸による実在庫量の値をサバー用コンピュータ１に入力して実在庫量記憶手段４ｂに記憶し、在庫データ記憶装置３に記憶されている在庫には、誤りがあるのでコンピュータ上の理論在庫量を誤理論在庫量とし、差分算出手段１ｆによって、誤理論在庫量から実在庫量を差し引いて差分を算出する。
【００４１】
差分算出手段１ｆによる結果、実在庫量が誤理論在庫より少ない場合は、第１の補正請求額算出手段１ｇにより、差分による請求額が算出され、請求額算出手段１ｂで算出された請求額に差分請求額を加算される。
【００４２】
また、差分算出手段１ｆによる演算結果において、実在庫量が誤理論在庫より多い場合は、請求額算出手段１ｂで算出された請求額に差分請求額差し引いた値を真の請求額を算出する手段である。従って、請求額から差分の差分金額を差し引いて、請求額＞差分金額の条件を満たしてから調剤薬局への請求額が発生する。すなわち、差分が消化されるまでは、請求額は発生しないことになる。
【００４３】
上記実施形態では、医薬品の包装単位の単価を、説明を容易とするために、包装内の錠剤を１錠単位の単価、またその他の薬剤を１グラム又は１ｃｃ単位の単価として説明したが、この単位による単価に限定することなく、例えば、２或いは５錠単位の単価、２或いは５グラム単位の単価といった任意の単位による単価に設定してもよいことは明らかである。
【００４４】
【発明の効果】
上述のように、本発明によれば、医薬品は種類・品種が極めて多く、調剤薬局等で消化された医薬品の一品毎に、１錠単位又は１グラム・１ｃｃ単位で消化された医薬品の請求額を自動的に算出して請求することができる消化払い方式であって、これらの医薬品を一品毎に、１錠単位又は１グラム・１ｃｃ単位で消化された医薬品の請求額を消化払い処理装置により自動的に算出することができ、その効果は格別なものである。
【００４５】
また、本発明によれば、初期在庫を有する調剤薬局に消化払い方式を導入した際も初期在庫を自動的に処理して、消化払い方式を導入した時点以降に補充された医薬品を消化払い対象として請求額を算出することができる利点がある。
【００４６】
また、本発明によれば、初期在庫の値が異なっていた場合であっても、自動的に補正して請求額を算出することができる利点がある。
【００４７】
また、本発明によれば、１錠単位又は１グラム・１ｃｃ単位の価格が四捨五入による誤差が発生したとしても、自動的補正して請求することができる利点がある。
【図面の簡単な説明】
【図１】本発明に係る医薬品の消化払い方式及び消化払い処理装置の実施の形態を説明するためのブロック図である。
【図２】本実施形態の消化払い処理装置を説明するためのブロック図である。
【符号の説明】
１  サーバー用コンピュータ
１ａ  単価算出手段
１ｂ  請求額算出手段
１ｃ  販売金額算出手段
１ｄ  請求済金額算出手段
１ｅ  差額調整金額算出手段
１ｆ  差分算出手段
１ｇ  第１の補正請求額算出手段
１ｈ  第２の補正請求額算出手段
２  消化データ記憶装置
３  在庫データ記憶装置
４ａ  単価記憶手段
４ｂ  実在庫量記憶手段
１０  卸業務用コンピュータシステム
２０  インターネット（通信手段）
３０  調剤薬局のコンピュータシステム
４０  医療機関のコンピュータシステム
【図１】
2004280761.tif 000005
【図２】
2004280761.tif 000006